(57)【要約】【課題】エアコンプレッサに堆積した粉塵を特段の作業を増やすことなく取り除けるようにすることを目的とする。【解決手段】エアコンプレッサ１は、電動モータ２１の駆動によって外気を圧縮する圧縮機構２０と、電動モータ２１を備えたコンプレッサ本体１０と、タンク３からドレン水と排出エアを排出可能に開閉操作可能なドレンコック３１を有している。ドレンコック３１を開いて排出される排出エアをコンプレッサ本体１０の粉塵堆積部である吸気部１３のフィルタ１３ａに導く配管４１が配設されている。配管４１の吹出部４１ｂから排出エアを吹き出すことでフィルタ１３ａに堆積した粉塵が吹き飛ばされる。【選択図】図６
2020060106.tif 000002
【特許請求の範囲】
【請求項１】
外気を圧縮して圧縮エアを生成しタンクに貯留するエアコンプレッサであって、
外気を圧縮する動力機関と、該動力機関を備えたコンプレッサ本体と、前記タンクからドレン水と排出エアを排出可能に開閉操作可能なドレンコックを有しており、
該ドレンコックを開いて排出される排出エアを前記コンプレッサ本体の粉塵堆積部に導く配管が配設されており、
該配管の吹出部から排出エアを吹き出すことで前記粉塵堆積部に堆積した粉塵を吹き飛ばす構成としたエアコンプレッサ。
【請求項２】
請求項１に記載のエアコンプレッサであって、
前記ドレンコックと前記吹出部との間に、ドレン水と排出エアを分離させる中間部を備えたエアコンプレッサ。
【請求項３】
請求項２に記載のエアコンプレッサであって、
前記中間部に、前記ドレンコックを開いて排出エアが排出される場合に発生する音を抑制する消音機構が設けられるエアコンプレッサ。
【請求項４】
請求項１〜３のいずれか１項に記載したエアコンプレッサであって、
前記コンプレッサ本体は、フィルタを介して前記動力機関に外気を取り込む吸気部を備えており、
前記配管は、前記吸気部に排出エアを導くエアコンプレッサ。
【請求項５】
請求項４に記載のエアコンプレッサであって、
前記吹出部は、前記フィルタに対して排出エアが斜めに吹き出すように開口する吹出口を備えたエアコンプレッサ。
【請求項６】
請求項１〜５のいずれか１項に記載したエアコンプレッサであって、
前記配管は、前記動力機関を備える機構ケース周りの粉塵堆積部に排出エアを導くエアコンプレッサ。
【請求項７】
請求項１〜６のいずれか１項に記載したエアコンプレッサであって、
前記吹出部は前記配管の先端に設けられており、該吹出部に複数の吹出口を設けたエアコンプレッサ。
【請求項８】
請求項１〜７のいずれか１項に記載したエアコンプレッサであって、
前記吹出部は、前記粉塵堆積部に沿って延在しており、
該吹出部の延在方向に沿って適宜間隔を置いた複数箇所に吹出口を設けたエアコンプレッサ。
【発明の詳細な説明】
【技術分野】
【０００１】
本発明は、外気を圧縮して圧縮エアを生成しタンクに貯留するエアコンプレッサであって、例えば圧縮エア駆動式の釘打機やエアタッカ等の工具に圧縮エアを供給するためのエアコンプレッサに関する。
【背景技術】
【０００２】
エアコンプレッサは、シリンダ内に外気を取り込み、シリンダ内で往復動するピストンで圧縮することで圧縮エアを生成する。生成した圧縮エアはタンクに貯留される。タンクに貯留された圧縮エアは、例えば釘打機やエアタッカ等の圧縮エア駆動式の工具に供給される。エアコンプレッサは、外気を吸気する過程において、外気中に浮遊している粉塵を集積する。集積された粉塵は、エアコンプレッサ内の例えば吸気部に設けられた吸気フィルタの周りや、電動モータ等の動力機関の周りに堆積する。吸気部の吸気フィルタ周りに粉塵が堆積すると、吸気フィルタに目詰まりが生じて吸気効率が低下する場合がある。動力機関の例えば出力軸の軸受周りに粉塵が堆積すると、動力機関の出力が低下して吸気効率が低下する場合がある。従って、堆積した粉塵を定期的に取り除くことが望ましい。
【０００３】
圧縮エアを工具に供給するとき、タンク内に残留している圧縮エアが膨張して冷却する。これにより、タンク内に残留している圧縮エアに含まれている水蒸気が凝結し、タンク内にドレン水として蓄積する。タンク内に蓄積したドレン水によって、タンク内に錆等を発生させる場合や、圧縮エアの貯留量の減少が生じる場合等がある。そのため、ドレン水をタンク外へ排出する構成を備えるエアコンプレッサが一般的に利用されている。特許文献１には、タンクから排出されるドレン水を用いて、吸気に含まれる粉塵を捕集し、粉塵が堆積することを抑制する集塵装置を備えたエアコンプレッサについて記載されている。
【先行技術文献】
【特許文献】
【０００４】
【特許文献１】特開２００９−１３３２８７号公報
【発明の概要】
【発明が解決しようとする課題】
【０００５】
しかしながら、特許文献１に記載の集塵装置によれば、吸気中の粉塵を低減することはできても、吸気フィルタ周辺や動力機関周辺に堆積した粉塵を取り除く機能を有するものではなかった。この種のエアコンプレッサは、通常多くの粉塵が浮遊する作業環境で用いられることから、コンプレッサ本体内部に粉塵等が堆積しやすい。このため、高い圧縮エア生成能力を維持するためには、頻繁に粉塵除去等のメンテナンスを行う必要があるが、これではメンテナンスフリー化のメリットが阻害されてしまう。
【０００６】
本発明は、エアコンプレッサに堆積した粉塵を特段の作業を増やすことなく取り除けるようにすることを目的とする。
【課題を解決するための手段】
【０００７】
第１の発明は、外気を圧縮して圧縮エアを生成しタンクに貯留するエアコンプレッサである。第１の発明において、エアコンプレッサは、外気を圧縮する動力機関と、動力機関を備えたコンプレッサ本体と、タンクからドレン水と排出エアを排出可能に開閉操作可能なドレンコックを有している。第１の発明において、ドレンコックを開いて排出される排出エアをコンプレッサ本体の粉塵堆積部に導く配管が配設されている。第１の発明において、配管の吹出部から排出エアを吹き出すことで粉塵堆積部に堆積した粉塵が吹き飛ばされる。
【０００８】
第１の発明によれば、ドレンコックを開くことで、タンクからのドレン水と排出エアの排出と同時に粉塵堆積部に堆積した粉塵を取り除くことができる。従って、特段の作業を増やすことなくドレンコックを開く操作のみで、エアコンプレッサの特に粉塵が堆積しやすい粉塵堆積部の粉塵を取り除くことができる。さらに、第１の発明によれば、高圧のタンク内から排出される排出エアによって、粉塵堆積部に堆積した粉塵を勢いよく吹き飛ばすことができる。
【０００９】
第２の発明は、第１の発明において、ドレンコックと吹出部との間に、ドレン水と排出エアを分離させる中間部を備えたエアコンプレッサである。
【００１０】
第２の発明によれば、ドレン水が粉塵堆積部に吹きかからないようにし、排出エアのみが粉塵堆積部に吹きかかるようにすることができる。
【００１１】
第３の発明は、第２の発明において、中間部に、ドレンコックを開いて排出エアが排出される場合に発生する音を抑制する消音機構が設けられるエアコンプレッサである。
【００１２】
第３の発明によれば、ドレンコックと吹出部との間に設けられた消音機構において排出エアが排出されるときの音が抑制されるため、ドレンコックを大きく開くことができる。これにより、排出エアを勢いよく排出することができ、粉塵堆積部に堆積した粉塵をより勢いよく吹き飛ばすことができる。
【００１３】
第４の発明は、第１〜第３のいずれか１つの発明において、コンプレッサ本体が、フィルタを介して動力機関に外気を取り込む吸気部を備えたエアコンプレッサである。第４の発明において、配管は、吸気部に排出エアを導く。
【００１４】
第４の発明によれば、外気を取り込むために特に粉塵が堆積しやすい吸気部の粉塵が、排出エアによって吹き飛ばされる。これにより、エアコンプレッサの吸気効率を維持できる。
【００１５】
第５の発明は、第４の発明において、吹出部が、フィルタに対して排出エアが斜めに吹き出すように開口する吹出口を備えたエアコンプレッサである。
【００１６】
第５の発明によれば、フィルタの面方向と略平行またはフィルタに対して略面直方向に排出エアが吹き出す場合と比べて、粉塵を効率良く吹き飛ばすことができる。例えば、フィルタの面方向と略平行に排出エアが吹き出す場合は、排出エアが粉塵堆積部に直接当たり難く、粉塵を吹き飛ばし難い。また、例えば、フィルタに対して略面直方向に排出エアが吹き出す場合は、粉塵がフィルタのメッシュに入り込みやすく目詰まりを起こしやすい。従って、第５の発明によれば、排出エアによって粉塵を効率良く吹き飛ばすことができ、かつフィルタの目詰まりを抑制できる。
【００１７】
第６の発明は、第１〜第５のいずれか１つの発明において、配管が、動力機関を備える機構ケース周りの粉塵堆積部に排出エアを導くエアコンプレッサである。
【００１８】
第６の発明によれば、機構ケース周りの粉塵堆積部であって、粉塵を取り除くことが特に望ましい箇所に排出エアを導いて、粉塵を取り除くことができる。例えば、動力機関の軸受の周りに排出エアを導いて、粉塵を吹き飛ばすことができる。軸受の周りの粉塵を吹き飛ばすことで、出力軸と軸受との間に粉塵が入り込むことを抑制でき、エアコンプレッサの吸気効率を維持できる。
【００１９】
第７の発明は、第１〜第６のいずれか１つの発明において、吹出部は配管の先端に設けられており、該吹出部に複数の吹出口を設けたエアコンプレッサである。
【００２０】
第７の発明によれば、例えばシャワーヘッド状の吹出部といった複数の吹出口を有する吹出部を備えることにより、排気エアをより広い領域に吹き当てることができ、これにより特に粉塵堆積部が比較的広い領域である場合に、堆積した粉塵を効率良く吹き飛ばすことができる。
【００２１】
第８の発明は、第１〜第７のいずれか１つの発明において、吹出部が粉塵堆積部に沿って延在しているエアコンプレッサである。第８の発明において、吹出部はその延在方向に沿って適宜間隔を置いた複数箇所に吹出口を備えている。
【００２２】
第８の発明によれば、特に粉塵堆積部が比較的広い領域または線状に比較的長い領域である場合に、堆積した粉塵を効率良く吹き飛ばすことができる。
【図面の簡単な説明】
【００２３】
【図１】本発明に係るエアコンプレッサの機構カバーを備えた全体斜視図である。
【図２】本発明に係るエアコンプレッサの一部縦断面を含む全体右側面図である。
【図３】本発明に係るエアコンプレッサの全体正面図である。
【図４】本発明に係るエアコンプレッサの全体下面図である。
【図５】第１実施形態に係るエアコンプレッサの機構カバーを取り外した斜視図である。
【図６】第１実施形態に係るエアコンプレッサの機構カバーを取り外した斜視図である。
【図７】第１実施形態に係るエアコンプレッサの機構カバーを取り外した斜視図である。
【図８】第１実施形態に係るエアコンプレッサの一部縦断面を含む右側面図である。
【図９】第１実施形態に係るエアコンプレッサの平面図である。
【図１０】図８のＸ−Ｘ線断面矢視図である。
【図１１】第２実施形態に係るエアコンプレッサの斜視図である。
【図１２】第２実施形態に係るエアコンプレッサの一部縦断面を含む右側面図である。
【図１３】図１２のＸＩＩＩ−ＸＩＩＩ線断面矢視図である。
【図１４】第３実施形態に係るエアコンプレッサの斜視図である。
【図１５】第３実施形態に係るエアコンプレッサの一部縦断面を含む右側面図である。
【図１６】第３実施形態に係るエアコンプレッサの下面図である。
【図１７】第４実施形態に係るエアコンプレッサの斜視図である。
【図１８】第４実施形態に係るエアコンプレッサの一部縦断面を含む右側面図である。
【図１９】第４実施形態に係るエアコンプレッサの下面図である。
【図２０】図１８のＸＸ−ＸＸ線断面矢視図である。
【図２１】第５実施形態に係るエアコンプレッサの斜視図である。
【図２２】第５実施形態に係るエアコンプレッサの一部縦断面を含む右側面図である。
【図２３】第５実施形態に係るエアコンプレッサの機構カバーを備えた右側面図であって、一部縦断面図である。
【図２４】第５実施形態に係るエアコンプレッサの平面図である。
【図２５】第６実施形態に係るエアコンプレッサの斜視図である。
【図２６】第６実施形態に係るエアコンプレッサの一部縦断面を含む右側面図である。
【図２７】第６実施形態に係るエアコンプレッサの機構カバーを備えた右側面図であって、一部縦断面図である。
【図２８】第６実施形態に係るエアコンプレッサの平面図である。
【図２９】第７実施形態に係るエアコンプレッサの斜視図である。
【図３０】第７実施形態に係るエアコンプレッサの一部縦断面を含む右側面図である。
【図３１】第７実施形態に係るエアコンプレッサの平面図である。
【図３２】第８実施形態に係るエアコンプレッサの斜視図である。
【図３３】第８実施形態に係るエアコンプレッサの一部縦断面を含む右側面図である。
【図３４】図３３のＸＸＸＩＶ−ＸＸＸＩＶ線断面矢視図である。
【図３５】第９実施形態に係るエアコンプレッサの一部縦断面を含む右側面図である。
【図３６】第９実施形態に係るエアコンプレッサの平面図である。
【図３７】第９実施形態に係るエアコンプレッサの下面図である。
【図３８】第１０実施形態に係るエアコンプレッサの一部縦断面を含む左側面図である。
【図３９】第１０実施形態に係るエアコンプレッサの平面図である。
【図４０】第１０実施形態に係るエアコンプレッサの下面図である。
【図４１】第１１実施形態に係るエアコンプレッサの斜視図である。
【図４２】第１１実施形態に係るエアコンプレッサの一部縦断面を含む右側面図である。
【図４３】図４２のＸＬＩＩＩ−ＸＬＩＩＩ線断面矢視図である。
【図４４】第１２実施形態に係るエアコンプレッサの斜視図である。
【図４５】第１２実施形態に係るエアコンプレッサの一部縦断面を含む右側面図である。
【図４６】図４５のＸＬＶＩ−ＸＬＶＩ線断面矢視図である。
【図４７】第１３実施形態に係るエアコンプレッサの一部縦断面を含む右側面図である。
【図４８】第１３実施形態に係るエアコンプレッサの平面図である。
【図４９】第１３実施形態に係るエアコンプレッサの下面図である。
【図５０】第１４実施形態に係るエアコンプレッサの一部縦断面を含む左側面図である。
【図５１】第１４実施形態に係るエアコンプレッサの平面図である。
【図５２】第１４実施形態に係るエアコンプレッサの下面図である。
【発明を実施するための形態】
【００２４】
次に、本発明の第１実施形態を図１〜１０に基づいて説明する。図１〜３に示すようにエアコンプレッサ１は、圧縮エアを貯蔵可能な横長形状のタンク３を２つ備えている。２本のタンク３は、長手方向両端部それぞれでベース２によって連結されており、互いに平行である。タンク３の下面側には、タンク３の長手方向両端部に支持脚部４が設けられている。すなわちエアコンプレッサ１は、支持脚部４を計４つ備えている。エアコンプレッサ１を床や作業台等の設置面Ｆに設置する場合、エアコンプレッサ１は、４つの支持脚部４で支持される。以下の説明において、支持脚部４を下側にしてエアコンプレッサ１を設置した姿勢で上下方向を規定する。また、後述するドレン排出部３０が設けられている側を前側として、前側に位置する使用者から見たときを基準として前後左右方向を規定する。
【００２５】
図１，５に示すように、タンク３の上方には、機構カバー５で外装されたコンプレッサ本体１０が設けられている。コンプレッサ本体１０は、タンク３とベース２によって支持されている。機構カバー５は、タンク３が位置する側（下側）が開口した略箱形に形成されている。図１〜３に示すように機構カバー５の前後左右それぞれの面には、メッシュ状に配置された複数の通気孔５ａが設けられている。
【００２６】
図１０に示すようにコンプレッサ本体１０は、圧縮エアを生成する圧縮機構２０を備えている。圧縮機構２０は、電動モータ２１と、シリンダ１２と、電動モータ２１の力を受けてシリンダ１２内を往復動するピストン２３とを有する。電動モータ２１は、いわゆるアウタロータ形のブラシレスモータであり、機構ケース１１に支持されている。電動モータ２１は、略円筒形の回転子２１ｄを機構ケース１１の左方に備えている。回転子２１ｄの内周側には、固定子２１ｂが備えられている。回転子２１ｄの中心から出力軸２１ａが機構ケース１１内に延在している。出力軸２１ａは、回転子２１ｄと一体に設けられている。出力軸２１ａは、機構ケース１１に保持されている軸受２２と軸受２７とによって回転可能に支持されている。軸受２２は、機構ケース１１において回転子２１ｄ側（左側）端部に配置されており、軸受２７は、モータ機構ケース１１において回転子２１ｄと軸方向反対側（右側）端部に配置されている。固定子２１ｂは、機構ケース１１に固定されている。固定子２１ｂには、コイル２１ｃが巻き付けられている。
【００２７】
図９に示すように、軸受２２の周りにおいて、回転子２１ｄと機構ケース１１との間は、特に上方が開口した隙間として形成されている。そのため、エアコンプレッサ１において、軸受２２の周りは、外気に含まれる粉塵が堆積しやすい粉塵堆積部となっている。
【００２８】
図１０に示すように、シリンダ１２が、機構ケース１１の前側と後側にそれぞれに１つずつ設けられている。シリンダ１２は、出力軸２１ａの軸中心に対して径方向に延びた姿勢で配置されている。シリンダ１２は、出力軸２１ａに対して径方向内側の端部が、機構ケース１１に気密に取り付けられている。
【００２９】
図１０に示すように、機構ケース１１内において、出力軸２１ａには、クランク円板２３ｂが取り付けられている。クランク円板２３ｂの中心は、出力軸２１ａに対して偏心している。クランク円板２３ｂには、クランクロッド２３ａの基端部が相対回転可能に支持されている。クランクロッド２３ａの先端部にはピストン２３が取り付けられている。ピストン２３は、シリンダ１２内を気密に往復動可能に支持されている。電動モータ２１に電力が供給されると、出力軸２１ａが回転する。出力軸２１ａの回転動力がクランク円板２３ｂとクランクロッド２３ａを介することで、ピストン２３は、シリンダ１２内を往復動する。
【００３０】
図１０に示すように、機構ケース１１の右側部には、吸気部１３が設けられている。吸気部１３は、機構ケース１１の内外を連通する開口部分を有している。吸気部１３の開口部分は、フィルタ１３ａで覆われている。図８に示すように、フィルタ１３ａは、右方から見て出力軸２１ａの軸中心を中心とした略円環形状を有している。図１０に示すように、出力軸２１ａの右端部には、上流側ファン２４が取り付けられている。出力軸２１ａの左端部には、下流側ファン２５が取り付けられている。出力軸２１ａが回転することにより、上流側ファン２４と下流側ファン２５も出力軸２１ａと一体になって回転する。上流側ファン２４と下流側ファン２５が回転することで右側から左側へと送風がなされる。外気が送風されることによって、吸気部１３のフィルタ１３ａを介して機構ケース１１内へと吸気がなされる。機構ケース１１内に取り込まれた吸気は、圧縮機構２０等を冷却する冷却風としても機能する。吸気に含まれる粉塵は、機構ケース１１内に侵入しないようにフィルタ１３ａで捕捉される。フィルタ１３ａが機構ケース１１内への粉塵の侵入を抑制することで、例えばピストン２３とシリンダ１２との間に介するシール材の摩耗を低減できる。そのため、エアコンプレッサ１において、フィルタ１３ａは、外気に含まれる粉塵が堆積しやすい粉塵堆積部となっている。
【００３１】
図１０に示すように、ピストン上室１２ａは、シリンダ１２の内部であって、ピストン２３よりも出力軸２１ａに対して径方向外側の空間である。ピストン２３が下死点近傍に位置する場合、ピストン上室１２ａは、機構ケース１１内と連通する。従ってピストン２３が下死点近傍に位置する場合、ピストン上室１２ａには、吸気部１３から取り込まれた吸気が流入可能となる。ピストン上室１２ａの上死点側（出力軸２１ａに対して径方向外側）は、通気管２６と連通している。通気管２６は、タンク３内と連通している。吸気部１３から取り込まれた吸気は、シリンダ１２内を往復動するピストン２３によって圧縮され、通気管２６を介してタンク３に圧縮エアとして貯留される。
【００３２】
図２〜４に示すように、前側のベース２には、ドレン排出部３０が設けられている。ドレン排出部３０は、ドレンコック３１と排出管３２を備えている。排出管３２は、２つのタンク３の下面側へ回り込んで後方へ延びている。２つのタンク３の下面側には、補助板６が取り付けられている。補助板６は、２つのタンク３の間に沿って取り付けられている。補助板６の前部と後部はそれぞれベース２にねじ結合されている。
【００３３】
図２に示すように、２つのタンク３の下面側において排出管３２が延在する後方には、消音機構３５が設けられている。消音機構３５は、消音室３６と下部カバー３７とバッファ３８を有している。消音機構３５は、本発明における中間部に相当する。補助板６には、前後方向に延びた消音室３６が設けられている。消音室３６は、下部の略全面が開口した箱形空間である。消音室３６の下部には、消音室３６の下部全体を覆う下部カバー３７が取り付け可能になっている。消音室３６は、下部カバー３７を取り付けることにより、概ね全体が覆われた箱形空間となる。下部カバー３７の上面は、前方に向かってわずかに下向きに傾斜している。消音室３６の前端には、排出管３２の排出口３２ａが前方から導入されている。消音室３６の後端には、後述する配管４１の先端部である導入口４１ａが後方から導入されている。消音室３６の後端の特に導入口４１ａ周りは、ほぼ気密に形成されている。
【００３４】
排出管３２は、一端がタンク３と連通しており、他端の排出口３２ａが消音室３６内に導入されている。図３，４に示すように、前側のベース２に配設された排出管３２の経路途中には、ドレンコック３１が設けられている。ドレンコック３１は、回動操作することにより排出管３２を開閉させることができる。ドレンコック３１が閉じている場合、タンク３内の圧縮エアとドレン水は、排出管３２から排出されない。ドレンコック３１を開くと、その開き量に応じてタンク３内の圧縮エアが排出エアとして排出口３２ａから排出される。また、排出エアの流れとともにタンク３内のドレン水も排出口３２ａから排出される。
【００３５】
図２に示すように、消音室３６には、バッファ３８が収容されている。バッファ３８は、消音室３６の室内を概ね充填するように収容されている。バッファ３８は、例えばステンレスを材料として、微細な繊維状部材が絡み合った形状のウール状繊維部材であり、いわゆるスチールウール（ステンレスウール）である。バッファ３８は、その内部に微細な隙間が多数形成されており、内部を通る排出エアやドレン水の流れを分散させることができる。従って、バッファ３８を通すことで、排出エアやドレン水の流れの勢いを抑制させることができ、かつ排出エアとドレン水を分離させることができる。排出エアの流れの勢いを抑制させることで、排出エアを排出するときに発生する音を抑制することができる。
【００３６】
図５〜７に示すように、配管４１は、一端の導入口４１ａが消音室３６の後端から消音室３６内に導入されている。配管４１は、例えば金属製のパイプであり、比較的剛性が高い。消音室３６の後端から延びる配管４１は、後側のベース２に沿って上方に延びている。上方へ延びた配管４１は、図１に示す機構カバー５の内側に概ね沿って配設されている。具体的には、図８に示すように、配管４１は、上下方向についてフィルタ１３ａの中心と略同じ高さまで上方に延びている。図９に示すように、配管４１は、そこから右側のタンク３の右端近傍まで右方へと水平に延びている。配管４１は、さらにそこから上流側ファン２４の後端近傍まで前方へと水平に延びている。さらにその前方には、配管４１の先端部である吹出部４１ｂが設けられている。
【００３７】
図９に示すように、吹出部４１ｂは、直線状に延びており、前端に吹出口４１ｃを有している。吹出部４１ｂは、フィルタ１３ａの面方向に対して斜めに延びている。具体的には、吹出部４１ｂは、右側後方から左側前方へと延びている。吹出部４１ｂは、フィルタ１３ａの面方向に対して例えば５〜４０°傾斜している。吹出部４１ｂの前端に設けられた吹出口４１ｃは、フィルタ１３ａの右方に、フィルタ１３ａに近接して配置されている。すなわち、吹出口４１ｃは、フィルタ１３ａに対して、上流側ファン２４と下流側ファン２５とによって生じる送風の上流側に配置されている。吹出口４１ｃは、フィルタ１３ａ側を向いてフィルタ１３ａの面方向に対して斜めに開口している。具体的には、吹出口４１ｃは、フィルタ１３ａ側を向いて左方前向きに開口している。
【００３８】
図８，９を参照して、タンク３から排出された排出エアの一連の流れを説明する。ドレンコック３１を開いて排出口３２ａから排出された排出エアとドレン水は、消音室３６に設けられたバッファ３８の微細な隙間を通過する。バッファ３８を通過する過程で、排出エアはドレン水と分離され、かつ流れの勢いが比較的抑制される。消音室３６の後端に達した排出エアは、導入口４１ａから配管４１内へと流れ込む。配管４１を流れる排出エアは、吹出口４１ｃからフィルタ１３ａに向かって吹き出す。吹出部４１ｂがフィルタ１３ａの面方向に対して傾斜しているため、吹出口４１ｃから吹き出した排出エアは、フィルタ１３ａの面方向に対して斜めに吹きかかる。吹出口４１ｃから吹き出した排出エアは、フィルタ１３ａの近くに設けられた図１０に示す軸受２７の周り等にも吹きかかる。
【００３９】
以上説明したエアコンプレッサ１によれば、ドレンコック３１を開く操作のみで、タンク３からドレン水と排出エアの排出と、粉塵堆積部であるフィルタ１３ａに堆積した粉塵を取り除く清掃とを同時に行うことができる。従って、特段の作業を増やすことなくフィルタ１３ａに堆積した粉塵を取り除くことができる。さらに、エアコンプレッサ１によれば、高圧のタンク３内から排出される排出エアによって、フィルタ１３ａに堆積した粉塵を勢いよく吹き飛ばすことができる。
【００４０】
また、エアコンプレッサ１によれば、消音機構３５においてドレン水と排出エアが分離される。これにより、フィルタ１３ａにドレン水が吹きかからないようにし、排出エアのみが吹きかかるようにすることができる。特にフィルタ１３ａは、水に濡れることで目詰まりが生じやすくなる。フィルタ１３ａに目詰まりが生じることで、吸気部１３から機構ケース１１内への吸気機能が低下する場合や、フィルタ１３ａのまだ目詰まりが生じていない箇所に粉塵が集中することで新たな目詰まりが生じる場合等が考えられる。そのため、ドレン水と排出エアとを分離することで、フィルタ１３ａに堆積した粉塵を取り除く効果をより高めることができる。
【００４１】
また、エアコンプレッサ１によれば、排出口３２ａから排出エアが排出されるときの音が、消音機構３５のバッファ３８から干渉を受けることにより抑制される。そのため、ドレンコック３１を大きく開いて排出口３２ａから排出エアを勢いよく排出することができる。これにより、導入口４１ａへと流れ込む排出エアの流速を比較的速くすることができ、吹出口４１ｃから吹き出される排出エアの流速も比較的速くすることができる。従って、フィルタ１３ａに堆積した粉塵をより勢いよく吹き飛ばすことができる。
【００４２】
また、エアコンプレッサ１によれば、機構ケース１１の右側部にフィルタ１３ａを有する吸気部１３が設けられている。機構ケース１１内への吸気は、フィルタ１３ａを介して右方から左方へと流れる。排出エアの吹出口４１ｃは、フィルタ１３ａの右方（上流側）に、フィルタ１３ａに近接して配置されている。従って、外気を取り込む際に特に粉塵が堆積しやすいフィルタ１３ａの右側面に堆積した粉塵が、排出エアによって吹き飛ばされる。これにより、エアコンプレッサ１の吸気効率を維持することができる。
【００４３】
また、エアコンプレッサ１によれば、吹出口４１ｃは、フィルタ１３ａ側を向いてフィルタ１３ａの面方向に対して斜めに開口している。これにより、フィルタ１３ａの面方向と略平行またはフィルタ１３ａに対して略面直方向に排出エアが吹き出す場合と比べて、粉塵を効率良く吹き飛ばすことができる。例えば、フィルタ１３ａの面方向と略平行に排出エアが吹き出す場合は、排出エアがフィルタ１３ａに堆積した粉塵に直接当たり難く、粉塵を吹き飛ばし難い。また、例えば、フィルタ１３ａに対して略面直方向に排出エアが吹き出す場合は、粉塵がフィルタ１３ａのメッシュに入り込みやすく目詰まりを起こしやすい。従って、エアコンプレッサ１によれば、吹出口４１ｃから吹き出される排出エアによってフィルタ１３ａに堆積した粉塵を効率良く吹き飛ばすことができ、かつフィルタ１３ａの目詰まりを抑制できる。
【００４４】
次に、本発明の第２実施形態を図１１〜１３に基づいて説明する。第２実施形態のエアコンプレッサ５０は、第１実施形態のエアコンプレッサ１の配管４１に代えて、配管５１を備えている。以下の説明においては、先に説明した実施形態と異なる構成についてのみ詳細に説明する。
【００４５】
図１２に示すように、配管５１は、一端の導入口５１ａが消音室３６の後端から消音室３６内に導入されている。配管５１は、例えば金属製のパイプであり、比較的剛性が高い。消音室３６の後端から延びる配管５１は、後側のベース２に沿って上方に延びている。図１１に示すように、配管５１は、上下方向についてフィルタ１３ａの中心と略同じ高さまで上方に延びている。図１２に示すように、配管５１は、そこから吸気部１３の右端近傍まで右方へと水平に延びている。配管５１は、さらにそこから機構ケース１１の後端近傍まで前方へと水平に延びている。配管５１のさらにその前方には、吹出部５１ｂが設けられている。
【００４６】
図１２に示すように、吹出部５１ｂは、フィルタ１３ａの右端面近傍において、フィルタ１３ａの外縁の略上半分に沿って円弧状に配設されている。図１３に示すように、吹出部５１ｂには、吹出部５１ｂの延在方向に沿って、複数の吹出口５１ｃが略等間隔で開口している。吹出口５１ｃは、フィルタ１３ａに対して、上流側ファン２４と下流側ファン２５とによって生じる送風の上流側（右側）に配置されている。吹出口５１ｃは、吹出部５１ｂの延在方向と略直交方向に開口している。また、吹出口５１ｃは、フィルタ１３ａ側を向いてフィルタ１３ａの面方向に対して斜めに開口している。具体的には、吹出口５１ｃは、フィルタ１３ａの配置される左方かつ出力軸２１ａに対して径方向内方に開口している。
【００４７】
以上説明したエアコンプレッサ５０によれば、第１実施形態のエアコンプレッサ１と同様の作用効果が奏される。すなわち、ドレンコック３１を開く操作のみで、タンク３から排出される排出エアが、排出管３２と消音機構３５と配管５１を介して、吹出口５１ｃからフィルタ１３ａに向かって吹き出される。従って、特段の作業を増やすことなくフィルタ１３ａに堆積した粉塵を取り除くことができる。さらに、高圧のタンク３内から排出される排出エアによって、フィルタ１３ａに堆積した粉塵を勢いよく吹き飛ばすことができる。
【００４８】
また、エアコンプレッサ５０によれば、吹出部５１ｂは、フィルタ１３ａの右端面近傍において、フィルタ１３ａの外縁の略上半分に沿って円弧状に配設されている。複数の吹出口５１ｃは、フィルタ１３ａの周囲において、吹出部５１ｂの延在方向に沿って略等間隔で開口している。吹出口５１ｃは、フィルタ１３ａの配置される左方かつ出力軸２１ａに対して径方向内方を向いて斜めに開口している。従って、比較的広い領域を有するフィルタ１３ａに、適宜間隔を置いて複数箇所に配置された吹出口５１ｃから排出エアが吹きかけられる。さらに、複数の吹出口５１ｃは、フィルタ１３ａに対する開口方向が互いに異なっている。そのため、フィルタ１３ａに複数箇所から複数方向で排出エアが吹きかけられ、堆積した粉塵を効率良く吹き飛ばすことができる。
【００４９】
次に、本発明の第３実施形態を図１４〜１６に基づいて説明する。第３実施形態のエアコンプレッサ６０は、第１実施形態のエアコンプレッサ１の吸気部１３と配管４１に代えて、吸気部１４と配管６１を備えている。
【００５０】
図１４に示すように、機構ケース１１の下部には、吸気部１４が設けられている。吸気部１４は、機構ケース１１の下方に張り出した箱形形状を有している。吸気部１４の下面には、機構ケース１１の内外を連通する開口部分が設けられている。吸気部１４の開口部分は、フィルタ１４ａで覆われている。図１６に示すように、フィルタ１４ａは、下方から見て前後方向を長手方向とする略矩形を有している。吸気部１４から機構ケース１１内に外気が吸気される。吸気に含まれる粉塵は、機構ケース１１内に侵入しないようにフィルタ１４ａで捕捉される。そのため、エアコンプレッサ６０において、フィルタ１４ａは、外気に含まれる粉塵が堆積しやすい粉塵堆積部となっている。
【００５１】
図１５に示すように、配管６１は、一端の導入口６１ａが消音室３６の後端から消音室３６内に導入されている。配管６１は、例えば金属製のパイプであり、比較的剛性が高い。消音室３６の後端から延びる配管６１は、後側のベース２に沿って上方に延びている。配管６１は、機構ケース１１の下端とタンク３の上端との間の高さまで上方に延びている。配管６１は、そこから機構ケース１１の後端近傍まで前方へと水平に延びている。配管６１のさらにその前方には、吹出部６１ｂが設けられている。
【００５２】
図１５に示すように、吹出部６１ｂは、直線状に延びており、前端に吹出口６１ｃを有している。吹出部６１ｂは、フィルタ１４ａの面方向に対して斜めに延びている。具体的には、吹出部６１ｂは、後方から前方に向かって上向きに傾斜している。吹出部６１ｂは、フィルタ１４ａの面方向に対して例えば５〜４０°傾斜している。吹出部６１ｂの前端に設けられた吹出口６１ｃは、フィルタ１４ａの下方に、フィルタ１４ａの後端に近接して配置されている。すなわち、吹出口６１ｃは、フィルタ１４ａの上流側に配置されている。吹出口６１ｃは、フィルタ１４ａ側を向いてフィルタ１４ａの面方向に対して斜めに開口している。具体的には、吹出口６１ｃは、フィルタ１４ａ側を向いて上方前向きに開口している。
【００５３】
以上説明したエアコンプレッサ６０によれば、第１実施形態のエアコンプレッサ１と同様の作用効果が奏される。すなわち、ドレンコック３１を開く操作のみで、タンク３から排出される排出エアが、排出管３２と消音機構３５と配管６１を介して、吹出口６１ｃからフィルタ１４ａに向かって吹き出される。従って、特段の作業を増やすことなくフィルタ１４ａに堆積した粉塵を取り除くことができる。さらに、高圧のタンク３内から排出される排出エアによって、フィルタ１４ａに堆積した粉塵を勢いよく吹き飛ばすことができる。
【００５４】
また、エアコンプレッサ６０によれば、フィルタ１４ａは、下面側が吸気の上流側である。排出エアは、フィルタ１４ａの下方からフィルタ１４ａの面方向に対して上方前向きに斜めに吹きかけられる。従って、フィルタ１４ａから取り除かれた粉塵は、落下及び排出エアの前向きの流れによってフィルタ１４ａの周りから速やかに除去される。そのため、フィルタ１４ａに堆積した粉塵を効率良く取り除くことができる。
【００５５】
次に、本発明の第４実施形態を図１７〜２０に基づいて説明する。第４実施形態のエアコンプレッサ７０は、第３実施形態のエアコンプレッサ６０の配管６１に代えて、配管７１を備えている。
【００５６】
図１７，１８に示すように、配管７１は、一端の導入口７１ａが消音室３６の後端から消音室３６内に導入されている。配管７１は、例えば金属製のパイプであり、比較的剛性が高い。消音室３６の後端から延びる配管７１は、後側のベース２に沿って上方に延びている。配管７１は、機構ケース１１の下端とタンク３の上端との間の高さまで上方に延びている。配管７１は、そこから機構ケース１１の後端近傍まで前方へと水平に延びている。配管７１のさらにその前方には、吹出部７１ｂが設けられている。
【００５７】
図１８，１９に示すように、吹出部７１ｂは、フィルタ１４ａの下端面近傍において、フィルタ１４ａの外縁の略半周に沿って配設されている。吹出部７１ｂは、下方から見てフィルタ１４ａを囲む略Ｃ字形状を有している。図２０に示すように、吹出部７１ｂには、吹出部７１ｂの延在方向に沿って、複数の吹出口７１ｃが略等間隔で開口している。吹出口７１ｃは、吹出部７１ｂの延在方向と略直交方向に開口している。また、吹出口７１ｃは、フィルタ１４ａ側を向いてフィルタ１４ａの面方向に対して斜めに開口している。具体的には、吹出口７１ｃは、フィルタ１４ａの配置される上方かつフィルタ１４ａの内側方向に開口している。
【００５８】
以上説明したエアコンプレッサ７０によれば、第１実施形態のエアコンプレッサ１と同様の作用効果が奏される。すなわち、ドレンコック３１を開く操作のみで、タンク３から排出される排出エアが、排出管３２と消音機構３５と配管７１を介して、吹出口７１ｃからフィルタ１４ａに向かって吹き出される。従って、特段の作業を増やすことなくフィルタ１４ａに堆積した粉塵を取り除くことができる。さらに、高圧のタンク３内から排出される排出エアによって、フィルタ１４ａに堆積した粉塵を勢いよく吹き飛ばすことができる。
【００５９】
また、エアコンプレッサ７０によれば、吹出部７１ｂは、フィルタ１４ａの下端面近傍において、フィルタ１４ａの外縁の略半周に沿って略Ｃ字形状に配設されている。複数の吹出口７１ｃは、フィルタ１４ａの周囲において適宜間隔を置いて複数箇所で開口しており、フィルタ１４ａに対する開口方向が互いに異なっている。従って、下方を向いたフィルタ１４ａに複数箇所から複数方向で排出エアが吹きかけられ、堆積した粉塵を効率良く吹き飛ばすことができる。
【００６０】
次に、本発明の第５実施形態を図２１〜２４に基づいて説明する。第５実施形態のエアコンプレッサ８０は、第３実施形態のエアコンプレッサ６０の配管６１に代えて、配管８１を備えている。
【００６１】
図２１，２２に示すように、配管８１は、一端の導入口８１ａが消音室３６の後端から消音室３６内に導入されている。配管８１は、例えばゴム製のパイプであり、比較的弾性が高い。図２３，２４に示すように、消音室３６の後端から延びる配管８１は、後側のベース２及び機構カバー５の内面に沿って上方に延びて配設されている。配管８１は、機構カバー５の後側面内側に沿って、左右方向について軸受２２が配置されている位置まで左方に延びつつ、機構カバー５の上面内側まで上方へと延びて配設されている。配管８１は、そこから機構カバー５の上面内側に沿って前方に延びて配設されている。配管８１は、機構カバー５の内面に複数箇所設けられている留め具５ｂによって保持されている。軸受２２の上方まで延びた配管８１の先端には、吹出部８１ｂが設けられている。配管８１が比較的弾性を有することにより、配管８１を留め具５ｂに保持させた後に、コンプレッサ本体１０を覆うように機構カバー５を取り付けることができる。
【００６２】
図２２に示すように、吹出部８１ｂは、略半球状の球面側に複数の吹出口８１ｃが蓮口状に開口したシャワーヘッド状に形成されている。吹出部８１ｂは、吹出口８１ｃが下向きに開口する姿勢で配設されている。吹出口８１ｃから排出される排出エアは、わずかに放射状に拡がりつつ概ね下方に吹き出される。図２２，２４に示すように吹出部８１ｂは、軸受２２の上方であって、機構ケース１１の上端近傍に配設されている。
【００６３】
以上説明したエアコンプレッサ８０によれば、第１実施形態のエアコンプレッサ１と同様の作用効果が奏される。すなわち、ドレンコック３１を開く操作のみで、タンク３から排出される排出エアが、排出管３２と消音機構３５と配管８１を介して、吹出口８１ｃから機構ケース１１周りの粉塵堆積部に向かって吹き出される。従って、特段の作業を増やすことなく機構ケース１１周りの粉塵堆積部に堆積した粉塵を取り除くことができる。特に軸受２２は、粉塵が堆積することで電動モータ２１の出力が低下する場合等がある。そのため、軸受２２周りの粉塵を除去することで、エアコンプレッサ８０の使い勝手を維持することができる。さらに、高圧のタンク３内から排出される排出エアによって、機構ケース１１周りの例えば軸受２２の周りに堆積した粉塵を勢いよく吹き飛ばすことができる。
【００６４】
また、エアコンプレッサ８０によれば、シャワーヘッド状の吹出部８１ｂが複数の吹出口８１ｃを備えることにより、排出エアを比較的広い領域を有する機構ケース１１周りの粉塵堆積部に当てることができる。これにより、比較的広い領域である例えば軸受２２の周りに堆積した粉塵を効率良く吹き飛ばすことができる。
【００６５】
次に、本発明の第６実施形態を図２５〜２８に基づいて説明する。第６実施形態のエアコンプレッサ９０は、第３実施形態のエアコンプレッサ６０の配管６１に代えて、配管９１を備えている。
【００６６】
図２５，２６に示すように、配管９１は、一端の導入口９１ａが消音室３６の後端から消音室３６内に導入されている。配管９１は、例えばゴム製のパイプであり、比較的弾性が高い。図２７，２８に示すように、消音室３６の後端から延びる配管９１は、後側のベース２及び機構カバー５の内面に沿って上方に延びて配設されている。配管９１は、機構カバー５の後側面内側に沿って、左右方向について軸受２２が配置されている位置まで左方に延びつつ、機構カバー５の上面内側まで上方へと延びて配設されている。配管９１は、そこから機構カバー５の上面内側に沿って前方に延びており、吹出部９１ｂとして配設されている。吹出部９１ｂは、機構カバー５の内面に複数箇所設けられている留め具５ｂによって保持されている。吹出部９１ｂは、前側のベース２の上方近くまで前方に延びて配設されている。吹出部９１ｂは、軸受２２の上方において、前後方向についてコンプレッサ本体１０をカバーするように配設されている。吹出部９１ｂの前端は、排出エアが流れ出ないように封止されている。
【００６７】
図２６に示すように、吹出部９１ｂの下側には、吹出部９１ｂの延在方向に沿って、複数の吹出口９１ｃが略等間隔で開口している。吹出口９１ｃは、吹出部９１ｂの延在方向と略直交方向に開口している。吹出口９１ｃは、概ね下向きに開口している。吹出口９１ｃは、軸受２２の上方に少なくとも１つ以上形成されている。
【００６８】
以上説明したエアコンプレッサ９０によれば、第１実施形態のエアコンプレッサ１と同様の作用効果が奏される。すなわち、ドレンコック３１を開く操作のみで、タンク３から排出される排出エアが、排出管３２と消音機構３５と配管９１を介して、吹出口９１ｃから軸受２２の周りに向かって吹き出される。従って、特段の作業を増やすことなく、機構ケース１１周りの粉塵堆積部のうち特に軸受２２の周りに堆積した粉塵を取り除くことができる。さらに、高圧のタンク３内から排出される排出エアによって、機構ケース１１周りの例えば軸受２２の周りに堆積した粉塵を勢いよく吹き飛ばすことができる。
【００６９】
また、エアコンプレッサ９０によれば、吹出部９１ｂは、前後方向についてコンプレッサ本体１０の上方をカバーするように配設されている。吹出部９１ｂの下側には、吹出部９１ｂの延在方向に沿って適宜間隔を置いて複数箇所に吹出口９１ｃが設けられている。従って、コンプレッサ本体１０の線状に比較的長い領域を有する粉塵堆積部に堆積した粉塵を効率良く吹き飛ばすことができる。例えば、線状に比較的長い領域である軸受２２の周りに堆積した粉塵を効率良く吹き飛ばすことができる。
【００７０】
次に、本発明の第７実施形態を図２９〜３１に基づいて説明する。第７実施形態のエアコンプレッサ１００は、第１実施形態のエアコンプレッサ１の配管４１に代えて、配管１０１と第１分岐配管１０２と第２分岐配管１０３を備えている。
【００７１】
図３０に示すように、配管１０１は、一端の導入口１０１ａが消音室３６の後端から消音室３６内に導入されている。配管１０１は、例えば金属製のパイプであり、比較的剛性が高い。消音室３６の後端から延びる配管１０１は、後側のベース２に沿って上方に延びている。配管１０１には、上下方向についてフィルタ１３ａの中心と略同じ高さにおいて、分岐部１０１ｂが設けられている。配管１０１は、分岐部１０１ｂにおいて、第１分岐配管１０２と第２分岐配管１０３とに分岐されている。第１分岐配管１０２は、例えば金属製のパイプであり、比較的剛性が高い。第２分岐配管１０３は、例えばゴム製のパイプであり、比較的弾性が高い。
【００７２】
図２９〜３１に示すように、第１分岐配管１０２は、第１実施形態の配管４１と同様に配設されており、配管４１と同様に、吹出部１０２ａと吹出口１０２ｂを有している。すなわち、吹出部１０２ａは、右側後方から左側前方へと延びており、フィルタ１３ａの面方向に対して斜めに延びている。吹出部１０２ａの前端に設けられた吹出口１０２ｂは、フィルタ１３ａの右方に、フィルタ１３ａに近接して配置されている。吹出口１０２ｂは、フィルタ１３ａ側を向いて左方前向きに開口している。
【００７３】
図２９〜３１に示すように、第２分岐配管１０３は、第５実施形態の配管８１と同様に配設されており、配管８１と同様に、吹出部１０３ａと吹出口１０３ｂを有している。すなわち、吹出部１０３ａは、略半球状の球面側に複数の吹出口１０３ｂが蓮口状に開口したシャワーヘッド状に形成されている。吹出部１０３ａは、吹出口１０３ｂが下向きに開口する姿勢で配設されている。吹出口１０３ｂから排出される排出エアは、わずかに放射状に拡がりつつ概ね下方に吹き出される。吹出部１０３ａは、軸受２２の上方であって、機構ケース１１の上端近傍に配設されている。
【００７４】
以上説明したエアコンプレッサ１００によれば、第１実施形態のエアコンプレッサ１と同様の作用効果、及び第５実施形態のエアコンプレッサ８０と同様の作用効果が奏される。例えば、ドレンコック３１を開く操作のみで、タンク３から排出される排出エアが、フィルタ１３ａと、機構ケース１１周りの粉塵堆積部のうち特に軸受２２の周りに向かって吹き出される。従って、特段の作業を増やすことなくフィルタ１３ａや軸受２２の周り等の粉塵堆積部に堆積した粉塵を取り除くことができる。
【００７５】
次に、本発明の第８実施形態を図３２〜３４に基づいて説明する。第８実施形態のエアコンプレッサ１１０は、第１実施形態のエアコンプレッサ１の配管４１に代えて、配管１１１と第１分岐配管１１２と第２分岐配管１１３を備えている。
【００７６】
図３２に示すように、配管１１１は、一端の導入口１１１ａが消音室３６の後端から消音室３６内に導入されている。配管１１１は、例えば金属製のパイプであり、比較的剛性が高い。消音室３６の後端から延びる配管１１１は、後側のベース２に沿って上方に延びている。図３３に示すように、配管１１１には、上下方向についてフィルタ１３ａの中心と略同じ高さにおいて、分岐部１１１ｂが設けられている。配管１１１は、分岐部１１１ｂにおいて、第１分岐配管１１２と第２分岐配管１１３とに分岐されている。第１分岐配管１１２は、例えば金属製のパイプであり、比較的剛性が高い。第２分岐配管１１３は、例えばゴム製のパイプであり、比較的弾性が高い。
【００７７】
図３２〜３４に示すように、第１分岐配管１１２は、第２実施形態の配管５１と同様に配設されており、配管５１と同様に、吹出部１１２ａと吹出口１１２ｂを有している。すなわち、吹出部１１２ａは、フィルタ１３ａの右端面近傍において、フィルタ１３ａの外縁の略上半分に沿って円弧状に配設されている。吹出部１１２ａには、吹出部１１２ａの延在方向に沿って、複数の吹出口１１２ｂが略等間隔で開口している。吹出口１１２ｂは、フィルタ１３ａの配置される左方かつ出力軸２１ａに対して径方向内方を向いて、フィルタ１４ａに対して斜めに開口している。
【００７８】
図３２〜３４に示すように、第２分岐配管１１３は、第５実施形態の配管８１と同様に配設されており、配管８１と同様に、吹出部１１３ａと吹出口１１３ｂを有している。すなわち、吹出部１１３ａは、略半球状の球面側に複数の吹出口１１３ｂが蓮口状に開口したシャワーヘッド状に形成されている。吹出部１１３ａは、吹出口１１３ｂが下向きに開口する姿勢で配設されている。吹出口１１３ｂから排出される排出エアは、わずかに放射状に拡がりつつ概ね下方に吹き出される。吹出部１１３ａは、軸受２２の上方であって、機構ケース１１の上端近傍に配設されている。
【００７９】
以上説明したエアコンプレッサ１１０によれば、第２実施形態のエアコンプレッサ５０と同様の作用効果、及び第５実施形態のエアコンプレッサ８０と同様の作用効果が奏される。例えば、ドレンコック３１を開く操作のみで、タンク３から排出される排出エアが、フィルタ１３ａと、機構ケース１１周りの粉塵堆積部のうち特に軸受２２の周りに向かって吹き出される。従って、特段の作業を増やすことなくフィルタ１３ａや軸受２２の周り等の粉塵堆積部に堆積した粉塵を取り除くことができる。
【００８０】
次に、本発明の第９実施形態を図３５〜３７に基づいて説明する。第９実施形態のエアコンプレッサ１２０は、第３実施形態のエアコンプレッサ６０の配管６１に代えて、配管１２１と第１分岐配管１２２と第２分岐配管１２３を備えている。
【００８１】
図３５に示すように、配管１２１は、一端の導入口１２１ａが消音室３６の後端から消音室３６内に導入されている。配管１２１は、例えば金属製のパイプであり、比較的剛性が高い。消音室３６の後端から延びる配管１２１は、後側のベース２に沿って上方に延びている。配管１２１には、タンク３の上端と略同じ高さにおいて、分岐部１２１ｂが設けられている。配管１２１は、分岐部１２１ｂにおいて、第１分岐配管１２２と第２分岐配管１２３とに分岐されている。第１分岐配管１２２は、例えば金属製のパイプであり、比較的剛性が高い。第２分岐配管１２３は、例えばゴム製のパイプであり、比較的弾性が高い。
【００８２】
図３５〜３７に示すように、第１分岐配管１２２は、第３実施形態の配管６１と同様に配設されており、配管６１と同様に、吹出部１２２ａと吹出口１２２ｂを有している。すなわち、吹出部１２２ａは、後方から前方に向かって上向きに傾斜しており、フィルタ１４ａの面方向に対して斜めに延びている。吹出部１２２ａの前端に設けられた吹出口１２２ｂは、フィルタ１４ａの下方に、フィルタ１４ａの後端に近接して配置されている。吹出口１２２ｂは、フィルタ１４ａ側を向いて上方前向きに開口している。
【００８３】
図３５〜３７に示すように、第２分岐配管１２３は、第５実施形態の配管８１と同様に配設されており、配管８１と同様に、吹出部１２３ａと吹出口１２３ｂを有している。すなわち、吹出部１２３ａは、略半球状の球面側に複数の吹出口１２３ｂが蓮口状に開口したシャワーヘッド状に形成されている。吹出部１２３ａは、吹出口１２３ｂが下向きに開口する姿勢で配設されている。吹出口１２３ｂから排出される排出エアは、わずかに放射状に拡がりつつ概ね下方に吹き出される。吹出部１２３ａは、軸受２２の上方であって、機構ケース１１の上端近傍に配設されている。
【００８４】
以上説明したエアコンプレッサ１２０によれば、第３実施形態のエアコンプレッサ６０と同様の作用効果、及び第５実施形態のエアコンプレッサ８０と同様の作用効果が奏される。例えば、ドレンコック３１を開く操作のみで、タンク３から排出される排出エアが、フィルタ１４ａと、機構ケース１１周りの粉塵堆積部のうち特に軸受２２の周りに向かって吹き出される。従って、特段の作業を増やすことなくフィルタ１４ａや軸受２２の周り等の粉塵堆積部に堆積した粉塵を取り除くことができる。
【００８５】
次に、本発明の第１０実施形態を図３８〜４０に基づいて説明する。第１０実施形態のエアコンプレッサ１３０は、第３実施形態のエアコンプレッサ６０の配管６１に代えて、配管１３１と第１分岐配管１３２と第２分岐配管１３３を備えている。
【００８６】
図３８に示すように、配管１３１は、一端の導入口１３１ａが消音室３６の後端から消音室３６内に導入されている。配管１３１は、例えば金属製のパイプであり、比較的剛性が高い。消音室３６の後端から延びる配管１３１は、後側のベース２に沿って上方に延びている。配管１３１には、タンク３の上端と略同じ高さにおいて、分岐部１３１ｂが設けられている。配管１３１は、分岐部１３１ｂにおいて、第１分岐配管１３２と第２分岐配管１３３とに分岐されている。第１分岐配管１３２は、例えば金属製のパイプであり、比較的剛性が高い。第２分岐配管１３３は、例えばゴム製のパイプであり、比較的弾性が高い。
【００８７】
図３８〜４０に示すように、第１分岐配管１３２は、第４実施形態の配管７１と同様に配設されており、配管７１と同様に、吹出部１３２ａと吹出口１３２ｂを有している。すなわち、吹出部１３２ａは、フィルタ１４ａの下端面近傍において、フィルタ１４ａの外縁の略半周に沿って略Ｃ字形状に配設されている。吹出部１３２ａには、吹出部１３２ａの延在方向に沿って、複数の吹出口１３２ｂが略等間隔で開口している。吹出口１３２ｂは、フィルタ１４ａの配置される上方かつフィルタ１４ａの内側方向を向いて、フィルタ１４ａに対して斜めに開口している。
【００８８】
図３８〜４０に示すように、第２分岐配管１３３は、第５実施形態の配管８１と同様に配設されており、配管８１と同様に、吹出部１３３ａと吹出口１３３ｂを有している。すなわち、吹出部１３３ａは、略半球状の球面側に複数の吹出口１３３ｂが蓮口状に開口したシャワーヘッド状に形成されている。吹出部１３３ａは、吹出口１３３ｂが下向きに開口する姿勢で配設されている。吹出口１３３ｂから排出される排出エアは、わずかに放射状に拡がりつつ概ね下方に吹き出される。吹出部１３３ａは、軸受２２の上方であって、機構ケース１１の上端近傍に配設されている。
【００８９】
以上説明したエアコンプレッサ１３０によれば、第４実施形態のエアコンプレッサ７０と同様の作用効果、及び第５実施形態のエアコンプレッサ８０と同様の作用効果が奏される。例えば、ドレンコック３１を開く操作のみで、タンク３から排出される排出エアが、フィルタ１４ａと、機構ケース１１周りの粉塵堆積部のうち特に軸受２２の周りに向かって吹き出される。従って、特段の作業を増やすことなくフィルタ１４ａや軸受２２の周り等の粉塵堆積部に堆積した粉塵を取り除くことができる。
【００９０】
次に、本発明の第１１実施形態を図４１〜４３に基づいて説明する。第１１実施形態のエアコンプレッサ１４０は、第１実施形態のエアコンプレッサ１の配管４１に代えて、配管１４１と第１分岐配管１４２と第２分岐配管１４３を備えている。
【００９１】
図４２に示すように、配管１４１は、一端の導入口１４１ａが消音室３６の後端から消音室３６内に導入されている。配管１４１は、例えば金属製のパイプであり、比較的剛性が高い。消音室３６の後端から延びる配管１４１は、後側のベース２に沿って上方に延びている。配管１４１には、上下方向についてフィルタ１３ａの中心と略同じ高さにおいて、分岐部１４１ｂが設けられている。配管１４１は、分岐部１４１ｂにおいて、第１分岐配管１４２と第２分岐配管１４３とに分岐されている。第１分岐配管１４２は、例えば金属製のパイプであり、比較的剛性が高い。第２分岐配管１４３は、例えばゴム製のパイプであり、比較的弾性が高い。
【００９２】
図４１〜４３に示すように、第１分岐配管１４２は、第１実施形態の配管４１と同様に配設されており、配管４１と同様に、吹出部１４２ａと吹出口１４２ｂを有している。すなわち、吹出部１４２ａは、右側後方から左側前方へと延びており、フィルタ１３ａの面方向に対して斜めに延びている。吹出部１４２ａの前端に設けられた吹出口１４２ｂは、フィルタ１３ａの右方に、フィルタ１３ａに近接して配置されている。吹出口１４２ｂは、フィルタ１３ａ側を向いて左方前向きに開口している。
【００９３】
図４１〜４３に示すように、第２分岐配管１４３は、第６実施形態の配管９１と同様に配設されており、配管９１と同様に、吹出部１４３ａと吹出口１４３ｂを有している。すなわち、吹出部１４３ａは、軸受２２の上方において、前後方向についてコンプレッサ本体１０をカバーするように延びて配設されている。吹出部１４３ａの前端は、排出エアが流れ出ないように封止されている。吹出部１４３ａの下側には、吹出部１４３ａの延在方向に沿って、複数の吹出口１４３ｂが略等間隔で開口している。吹出口１４３ｂは、概ね下向きに開口している。吹出口１４３ｂは、軸受２２の上方に少なくとも１つ以上形成されている。
【００９４】
以上説明したエアコンプレッサ１４０によれば、第１実施形態のエアコンプレッサ１と同様の作用効果、及び第６実施形態のエアコンプレッサ９０と同様の作用効果が奏される。例えば、ドレンコック３１を開く操作のみで、タンク３から排出される排出エアが、フィルタ１３ａと、機構ケース１１周りの粉塵堆積部のうち特に軸受２２の周りに向かって吹き出される。従って、特段の作業を増やすことなくフィルタ１３ａや軸受２２の周り等の粉塵堆積部に堆積した粉塵を取り除くことができる。
【００９５】
次に、本発明の第１２実施形態を図４４〜４６に基づいて説明する。第１２実施形態のエアコンプレッサ１５０は、第１実施形態のエアコンプレッサ１の配管４１に代えて、配管１５１と第１分岐配管１５２と第２分岐配管１５３を備えている。
【００９６】
図４５に示すように、配管１５１は、一端の導入口１５１ａが消音室３６の後端から消音室３６内に導入されている。配管１５１は、例えば金属製のパイプであり、比較的剛性が高い。消音室３６の後端から延びる配管１５１は、後側のベース２に沿って上方に延びている。配管１５１には、上下方向についてフィルタ１３ａの中心と略同じ高さにおいて、分岐部１５１ｂが設けられている。配管１５１は、分岐部１５１ｂにおいて、第１分岐配管１５２と第２分岐配管１５３とに分岐されている。第１分岐配管１５２は、例えば金属製のパイプであり、比較的剛性が高い。第２分岐配管１５３は、例えばゴム製のパイプであり、比較的弾性が高い。
【００９７】
図４４〜４６に示すように、第１分岐配管１５２は、第２実施形態の配管５１と同様に配設されており、配管５１と同様に、吹出部１５２ａと吹出口１５２ｂを有している。すなわち、吹出部１５２ａは、フィルタ１３ａの右端面近傍において、フィルタ１３ａの外縁の略上半分に沿って円弧状に配設されている。吹出部１５２ａには、吹出部１５２ａの延在方向に沿って、複数の吹出口１５２ｂが略等間隔で開口している。吹出口１５２ｂは、フィルタ１３ａの配置される左方かつ出力軸２１ａに対して径方向内方を向いて、フィルタ１４ａに対して斜めに開口している。
【００９８】
図４４〜４６に示すように、第２分岐配管１５３は、第６実施形態の配管９１と同様に配設されており、配管９１と同様に、吹出部１５３ａと吹出口１５３ｂを有している。すなわち、吹出部１５３ａは、軸受２２の上方において、前後方向についてコンプレッサ本体１０をカバーするように延びて配設されている。吹出部１５３ａの前端は、排出エアが流れ出ないように封止されている。吹出部１５３ａの下側には、吹出部１５３ａの延在方向に沿って、複数の吹出口１５３ｂが略等間隔で開口している。吹出口１５３ｂは、概ね下向きに開口している。吹出口１５３ｂは、軸受２２の上方に少なくとも１つ以上形成されている。
【００９９】
以上説明したエアコンプレッサ１５０によれば、第２実施形態のエアコンプレッサ５０と同様の作用効果、及び第６実施形態のエアコンプレッサ９０と同様の作用効果が奏される。例えば、ドレンコック３１を開く操作のみで、タンク３から排出される排出エアが、フィルタ１３ａと、機構ケース１１周りの粉塵堆積部のうち特に軸受２２の周りに向かって吹き出される。従って、特段の作業を増やすことなくフィルタ１３ａや軸受２２の周り等の粉塵堆積部に堆積した粉塵を取り除くことができる。
【０１００】
次に、本発明の第１３実施形態を図４７〜４９に基づいて説明する。第１３実施形態のエアコンプレッサ１６０は、第３実施形態のエアコンプレッサ６０の配管６１に代えて、配管１６１と第１分岐配管１６２と第２分岐配管１６３を備えている。
【０１０１】
図４７に示すように、配管１６１は、一端の導入口１６１ａが消音室３６の後端から消音室３６内に導入されている。配管１６１は、例えば金属製のパイプであり、比較的剛性が高い。消音室３６の後端から延びる配管１６１は、後側のベース２に沿って上方に延びている。配管１６１には、タンク３の上端と略同じ高さにおいて、分岐部１６１ｂが設けられている。配管１６１は、分岐部１６１ｂにおいて、第１分岐配管１６２と第２分岐配管１６３とに分岐されている。第１分岐配管１６２は、例えば金属製のパイプであり、比較的剛性が高い。第２分岐配管１６３は、例えばゴム製のパイプであり、比較的弾性が高い。
【０１０２】
図４７〜４９に示すように、第１分岐配管１６２は、第３実施形態の配管６１と同様に配設されており、配管６１と同様に、吹出部１６２ａと吹出口１６２ｂを有している。すなわち、吹出部１６２ａは、後方から前方に向かって上向きに傾斜しており、フィルタ１４ａの面方向に対して斜めに延びている。吹出部１６２ａの前端に設けられた吹出口１６２ｂは、フィルタ１４ａの下方に、フィルタ１４ａの後端に近接して配置されている。吹出口１６２ｂは、フィルタ１４ａ側を向いて上方前向きに開口している。
【０１０３】
図４７〜４９に示すように、第２分岐配管１６３は、第６実施形態の配管９１と同様に配設されており、配管９１と同様に、吹出部１６３ａと吹出口１６３ｂを有している。すなわち、吹出部１６３ａは、軸受２２の上方において、前後方向についてコンプレッサ本体１０をカバーするように延びて配設されている。吹出部１６３ａの前端は、排出エアが流れ出ないように封止されている。吹出部１６３ａの下側には、吹出部１６３ａの延在方向に沿って、複数の吹出口１６３ｂが略等間隔で開口している。吹出口１６３ｂは、概ね下向きに開口している。吹出口１６３ｂは、軸受２２の上方に少なくとも１つ以上形成されている。
【０１０４】
以上説明したエアコンプレッサ１６０によれば、第３実施形態のエアコンプレッサ６０と同様の作用効果、及び第５実施形態のエアコンプレッサ８０と同様の作用効果が奏される。例えば、ドレンコック３１を開く操作のみで、タンク３から排出される排出エアが、フィルタ１４ａと、機構ケース１１周りの粉塵堆積部のうち特に軸受２２の周りに向かって吹き出される。従って、特段の作業を増やすことなくフィルタ１４ａや軸受２２の周り等の粉塵堆積部に堆積した粉塵を取り除くことができる。
【０１０５】
次に、本発明の第１４実施形態を図５０〜５２に基づいて説明する。第１４実施形態のエアコンプレッサ１７０は、第３実施形態のエアコンプレッサ６０の配管６１に代えて、配管１７１と第１分岐配管１７２と第２分岐配管１７３を備えている。
【０１０６】
図５０に示すように、配管１７１は、一端の導入口１７１ａが消音室３６の後端から消音室３６内に導入されている。配管１７１は、例えば金属製のパイプであり、比較的剛性が高い。消音室３６の後端から延びる配管１７１は、後側のベース２に沿って上方に延びている。配管１７１には、タンク３の上端と略同じ高さにおいて、分岐部１７１ｂが設けられている。配管１７１は、分岐部１７１ｂにおいて、第１分岐配管１７２と第２分岐配管１７３とに分岐されている。第１分岐配管１７２は、例えば金属製のパイプであり、比較的剛性が高い。第２分岐配管１７３は、例えばゴム製のパイプであり、比較的弾性が高い。
【０１０７】
図５０〜５２に示すように、第１分岐配管１７２は、第４実施形態の配管７１と同様に配設されており、配管７１と同様に、吹出部１７２ａと吹出口１７２ｂを有している。すなわち、吹出部１７２ａは、フィルタ１４ａの下端面近傍において、フィルタ１４ａの外縁の略半周に沿って略Ｃ字形状に配設されている。吹出部１７２ａには、吹出部１７２ａの延在方向に沿って、複数の吹出口１７２ｂが略等間隔で開口している。吹出口１７２ｂは、フィルタ１４ａの配置される上方かつフィルタ１４ａの内側方向を向いて、フィルタ１４ａに対して斜めに開口している。
【０１０８】
図５０〜５２に示すように、第２分岐配管１７３は、第６実施形態の配管９１と同様に配設されており、配管９１と同様に、吹出部１７３ａと吹出口１７３ｂを有している。すなわち、吹出部１７３ａは、軸受２２の上方において、前後方向についてコンプレッサ本体１０をカバーするように延びて配設されている。吹出部１７３ａの前端は、排出エアが流れ出ないように封止されている。吹出部１７３ａの下側には、吹出部１７３ａの延在方向に沿って、複数の吹出口１７３ｂが略等間隔で開口している。吹出口１７３ｂは、概ね下向きに開口している。吹出口１７３ｂは、軸受２２の上方に少なくとも１つ以上形成されている。
【０１０９】
以上説明したエアコンプレッサ１７０によれば、第４実施形態のエアコンプレッサ７０と同様の作用効果、及び第５実施形態のエアコンプレッサ８０と同様の作用効果が奏される。例えば、ドレンコック３１を開く操作のみで、タンク３から排出される排出エアが、フィルタ１４ａと、機構ケース１１周りの粉塵堆積部のうち特に軸受２２の周りに向かって吹き出される。従って、特段の作業を増やすことなくフィルタ１４ａや軸受２２の周り等の粉塵堆積部に堆積した粉塵を取り除くことができる。
【０１１０】
以上説明した第１〜第１４実施形態の各エアコンプレッサには様々な変更を加えることができる。例えば、電動モータ２１に代えて、燃料が供給されることで駆動する内燃機関を動力機関として備える構成としてもよい。アウタロータ形のブラシレスモータである電動モータ２１を例示したが、例えば電動モータがインナロータ形等の他の形式である場合にも適用することができる。２本のタンク３を有するエアコンプレッサを例示したが、タンクの本数は１本でもよく３本以上でもよい。
【０１１１】
バッファ３８としてステンレス製のウール状繊維部材（スチールウール）を例示したが、例えば、錆びにくい他の金属材料あるいはガラス繊維等の非金属材料を用いたウール状繊維部材であってもよい。あるいは、バッファ３８として、例えば複数の小さな金属球を焼結させて形成される微細な隙間の多い部材を採用してもよい。ドレン水と排出エアとを分離する中間部を、バッファ３８と消音室３６を備えた消音機構３５に代えて、配管の導入口前方あるいは配管の途中にいわゆるラビリンス構造を設ける構成としてもよい。あるいは、中間部として、例えば消音機構３５とラビリンス構造とを並設してもよい。
【０１１２】
機構ケース１１に対して送風の上流側（右側）に吸気部１３を設ける場合と、機構ケース１１の下部に吸気部１４を設ける場合を例示したが、例えば機構ケース１１の前側や後側に吸気部を設け、当該吸気部に配管を延ばして吹出口から排出エアが吹き出る構成であってもよい。第７〜第１４実施形態では配管が２つに分岐する構成を例示したが、例えば３箇所以上の粉塵堆積部の近くに吹出口を配設するために配管が３つ以上に分岐する構成であってもよい。図５に示す吹出部４１ｂや、図１４に示す吹出部６１ｂに代えて、例えば図２２に示すシャワーヘッド状の吹出部８１ｂのように複数の吹出口を有する吹出部を備え、フィルタに排出エアを吹きかける構成としてもよい。図２３に示す配管８１がゴム製のパイプである場合を例示したが、例えば導入口８１ａが設けられる配管８１の下部を金属で設け、留め具５ｂに保持される配管８１の上部をゴムで設け、互いに連結させる構成としてもよい。
【符号の説明】
【０１１３】
１…エアコンプレッサ（第１実施形態）
２…ベース
３…タンク
４…支持脚部
５…機構カバー、５ａ…通気孔、５ｂ…留め具
６…補助板
１０…コンプレッサ本体
１１…機構ケース
１２…シリンダ、１２ａ…ピストン上室
１３…吸気部（粉塵堆積部）、１３ａ…フィルタ
１４…吸気部（粉塵堆積部）、１４ａ…フィルタ
２０…圧縮機構
２１…電動モータ（動力機関）、２１ａ…出力軸
２１ｂ…固定子、２１ｃ…コイル、２１ｄ…回転子
２２…軸受（粉塵堆積部）
２３…ピストン
２３ａ…クランクロッド、２３ｂ…クランク円板
２４…上流側ファン
２５…下流側ファン
２６…通気管
２７…軸受
３０…ドレン排出部
３１…ドレンコック
３２…排出管、３２ａ…排出口
３５…消音機構（中間部）
３６…消音室
３７…下部カバー
３８…バッファ
４１…配管、４１ａ…導入口、４１ｂ…吹出部、４１ｃ…吹出口
５０…エアコンプレッサ（第２実施形態）
５１…配管、５１ａ…導入口、５１ｂ…吹出部、５１ｃ…吹出口
６０…エアコンプレッサ（第３実施形態）
６１…配管、６１ａ…導入口、６１ｂ…吹出部、６１ｃ…吹出口
７０…エアコンプレッサ（第４実施形態）
７１…配管、７１ａ…導入口、７１ｂ…吹出部、７１ｃ…吹出口
８０…エアコンプレッサ（第５実施形態）
８１…配管、８１ａ…導入口、８１ｂ…吹出部、８１ｃ…吹出口
９０…エアコンプレッサ（第６実施形態）
９１…配管、９１ａ…導入口、９１ｂ…吹出部、９１ｃ…吹出口
１００…エアコンプレッサ（第７実施形態）
１０１…配管、１０１ａ…導入口、１０１ｂ…分岐部
１０２…第１分岐配管、１０２ａ…吹出部、１０２ｂ…吹出口
１０３…第２分岐配管、１０３ａ…吹出部、１０３ｂ…吹出口
１１０…エアコンプレッサ（第８実施形態）
１１１…配管、１１１ａ…導入口、１１１ｂ…分岐部
１１２…第１分岐配管、１１２ａ…吹出部、１１２ｂ…吹出口
１１３…第２分岐配管、１１３ａ…吹出部、１１３ｂ…吹出口
１２０…エアコンプレッサ（第９実施形態）
１２１…配管、１２１ａ…導入口、１２１ｂ…分岐部
１２２…第１分岐配管、１２２ａ…吹出部、１２２ｂ…吹出口
１２３…第２分岐配管、１２３ａ…吹出部、１２３ｂ…吹出口
１３０…エアコンプレッサ（第１０実施形態）
１３１…配管、１３１ａ…導入口、１３１ｂ…分岐部
１３２…第１分岐配管、１３２ａ…吹出部、１３２ｂ…吹出口
１３３…第２分岐配管、１３３ａ…吹出部、１３３ｂ…吹出口
１４０…エアコンプレッサ（第１１実施形態）
１４１…配管、１４１ａ…導入口、１４１ｂ…分岐部
１４２…第１分岐配管、１４２ａ…吹出部、１４２ｂ…吹出口
１４３…第２分岐配管、１４３ａ…吹出部、１４３ｂ…吹出口
１５０…エアコンプレッサ（第１２実施形態）
１５１…配管、１５１ａ…導入口、１５１ｂ…分岐部
１５２…第１分岐配管、１５２ａ…吹出部、１５２ｂ…吹出口
１５３…第２分岐配管、１５３ａ…吹出部、１５３ｂ…吹出口
１６０…エアコンプレッサ（第１３実施形態）
１６１…配管、１６１ａ…導入口、１６１ｂ…分岐部
１６２…第１分岐配管、１６２ａ…吹出部、１６２ｂ…吹出口
１６３…第２分岐配管、１６３ａ…吹出部、１６３ｂ…吹出口
１７０…エアコンプレッサ（第１４実施形態）
１７１…配管、１７１ａ…導入口、１７１ｂ…分岐部
１７２…第１分岐配管、１７２ａ…吹出部、１７２ｂ…吹出口
１７３…第２分岐配管、１７３ａ…吹出部、１７３ｂ…吹出口
Ｆ…設置面
【図１】
2020060106.tif 000003
【図２】
2020060106.tif 000004
【図３】
2020060106.tif 000005
【図４】
2020060106.tif 000006
【図５】
2020060106.tif 000007
【図６】
2020060106.tif 000008
【図７】
2020060106.tif 000009
【図８】
2020060106.tif 000010
【図９】
2020060106.tif 000011
【図１０】
2020060106.tif 000012
【図１１】
2020060106.tif 000013
【図１２】
2020060106.tif 000014
【図１３】
2020060106.tif 000015
【図１４】
2020060106.tif 000016
【図１５】
2020060106.tif 000017
【図１６】
2020060106.tif 000018
【図１７】
2020060106.tif 000019
【図１８】
2020060106.tif 000020
【図１９】
2020060106.tif 000021
【図２０】
2020060106.tif 000022
【図２１】
2020060106.tif 000023
【図２２】
2020060106.tif 000024
【図２３】
2020060106.tif 000025
【図２４】
2020060106.tif 000026
【図２５】
2020060106.tif 000027
【図２６】
2020060106.tif 000028
【図２７】
2020060106.tif 000029
【図２８】
2020060106.tif 000030
【図２９】
2020060106.tif 000031
【図３０】
2020060106.tif 000032
【図３１】
2020060106.tif 000033
【図３２】
2020060106.tif 000034
【図３３】
2020060106.tif 000035
【図３４】
2020060106.tif 000036
【図３５】
2020060106.tif 000037
【図３６】
2020060106.tif 000038
【図３７】
2020060106.tif 000039
【図３８】
2020060106.tif 000040
【図３９】
2020060106.tif 000041
【図４０】
2020060106.tif 000042
【図４１】
2020060106.tif 000043
【図４２】
2020060106.tif 000044
【図４３】
2020060106.tif 000045
【図４４】
2020060106.tif 000046
【図４５】
2020060106.tif 000047
【図４６】
2020060106.tif 000048
【図４７】
2020060106.tif 000049
【図４８】
2020060106.tif 000050
【図４９】
2020060106.tif 000051
【図５０】
2020060106.tif 000052
【図５１】
2020060106.tif 000053
【図５２】
2020060106.tif 000054